(57)【要約】【課題】金属表面ピーニングシステムを較正する技術分野において、実用的でありかつ汎用性のあるピーニング較正ユニットを提供する。【解決手段】本発明のピーニング較正ユニット（１０）は、ケーシング（１２）と、変換器（１４）と、送信ユニット（１６）とを含む。変換器は、ケーシングの頂部の少なくとも一区分に沿って位置決めされている。変換器は、この変換器へのピーニングエネルギーの印加の際に電気信号を発生させる。送信ユニットは、変換器によって生じた電気信号を受け取り、そして受け取った電気信号を表すディジタル信号をワイヤレスで送信する。送信ユニットは、ケーシング内に配置される。さらに、ピーニング較正バッテリパック（１１）およびピーニング較正システム（２０）が開示される。【選択図】図１
2018099771.tif 000002
【特許請求の範囲】
【請求項１】
ピーニング較正ユニットであって、
頂部および底部を定めるケーシングを有し、
前記ケーシングの前記頂部の少なくとも一区分に沿って設けられた変換器を有し、前記変換器は、該変換器へのピーニングエネルギーの印加時に電気信号を発生させ、
前記変換器によって生じた前記電気信号を受け取り、そして該電気信号を表わすディジタル信号をワイヤレスで送信する送信ユニットを有し、前記送信ユニットは、前記ケーシング内に配置されている、ピーニング較正ユニット。
【請求項２】
前記ピーニング較正ユニットは、標準化されたピーニング較正ストリップとして形作られるとともに寸法決めされている、請求項１記載のピーニング較正ユニット。
【請求項３】
前記変換器は、ナノ粒子で作られている、請求項１記載のピーニング較正ユニット。
【請求項４】
前記ケーシング内に配置された内部バッテリを更に含み、前記内部バッテリは、前記変換器および前記送信ユニットに電力供給する、請求項１記載のピーニング較正ユニット。
【請求項５】
前記変換器によって生じた前記電気信号は、前記内部バッテリ内に蓄えられる、請求項４記載のピーニング較正ユニット。
【請求項６】
前記ケーシングの前記底部に沿って設けられていてバッテリパックとの電気的接触を行う電気接点を更に含む、請求項１記載のピーニング較正ユニット。
【請求項７】
バッテリパックを更に含み、前記ケーシングは、前記ケーシングの前記底部に沿って設けられていて前記バッテリパックとの電気的接触を行う電気接点を更に含む、請求項１記載のピーニング較正ユニット。
【請求項８】
前記バッテリパックは、標準化された較正ホルダとして形作られるとともに寸法決めされている、請求項７記載のピーニング較正ユニット。
【請求項９】
前記送信ユニットは、前記変換器によって生じた前記電気信号を分析し、そして分析されたディジタル信号を発生させるプロセッサを含む、請求項１記載のピーニング較正ユニット。
【請求項１０】
前記送信ユニットは、次の送信プロトコル、すなわちBluetooth（商標）、Wi-Fi（商標）、セルラープロトコルのうちの任意のものを用いて前記ディジタル信号を送信する、請求項１記載のピーニング較正ユニット。
【請求項１１】
前記送信ユニットは、最初に、認証を実施し、その後前記ディジタル信号を送信する、請求項１記載のピーニング較正ユニット。
【請求項１２】
前記ケーシングは、次のもの、すなわち標準化されたピーニング較正ストリップおよび標準化されたピーニング較正ストリップホルダのうちの任意のものとして寸法決めされている、請求項１記載のピーニング較正ユニット。
【請求項１３】
ピーニング較正システムであって、
複数のピーニング較正ユニットを含み、各ピーニング較正ユニットは、
頂部および底部を定めるケーシングを有し、
前記ケーシングの前記頂部の少なくとも一区分に沿って設けられた変換器を有し、前記変換器は、該変換器へのピーニングエネルギーの印加時に電気信号を発生させ、
前記変換器によって生じた前記電気信号を受け取り、そして該電気信号を表わすディジタル信号をワイヤレスで送信する送信ユニットを有し、前記送信ユニットは、前記ケーシング内に配置され、
バッテリを有し、前記バッテリは、前記変換器および前記送信ユニットに電力供給し、
コンピュータ計算装置を更に含み、前記コンピュータ計算装置は、
前記送信ユニットと通信する通信ユニットと、
前記複数のピーニング較正ユニットから受け取った前記ディジタル信号を処理するプロセッサとを有する、ピーニング較正システム。
【請求項１４】
前記コンピュータ計算装置は、前記受け取ったディジタル信号を対応の前記ピーニング較正ユニットの識別情報および前記ディジタル信号に関連づけられた次のもの、すなわち時刻表示または時間間隔のうちの少なくとも一方と一緒に記憶するメモリを更に有する、請求項１３記載のピーニング較正システム。
【請求項１５】
前記プロセッサは、前記ピーニング較正ユニットの認証を行い、その後前記ディジタル信号を前記ピーニング較正ユニットから受け取る、請求項１３記載のピーニング較正システム。
【請求項１６】
前記プロセッサは、前記複数のピーニング較正ユニットから受け取った前記ディジタル信号を更に分析し、そしてピーニング強度を計算する、請求項１３記載のピーニング較正システム。
【請求項１７】
前記コンピュータ計算装置は、ディスプレイを更に有する、請求項１６記載のピーニング較正システム。
【請求項１８】
前記ピーニング較正ユニットは、標準化されたピーニング較正ストリップとして形作られるとともに寸法決めされている、請求項１３記載のピーニング較正システム。
【請求項１９】
前記ピーニング較正ユニットは、標準化されたピーニング較正ストリップホルダとして形作られるとともに寸法決めされている、請求項１３記載のピーニング較正システム。
【請求項２０】
ピーニング較正バッテリパックであって、
頂部および底部を備えたバッテリパックケーシングを有し、前記頂部は、ピーニング較正ユニットの対応の電気コネクタとの接続のための電気コネクタを有し、
前記バッテリパックケーシング内に設けられた少なくとも１つのバッテリを有し、前記少なくとも１つのバッテリは、前記バッテリパックケーシングの前記頂部に設けられている前記電気コネクタと電気的接触状態にあり、
前記ピーニング較正ユニットを受け入れるとともに該ピーニング較正ユニットを前記バッテリパックケーシングの前記頂部上に保持するピーニング較正ユニットホルダを有する、ピーニング較正バッテリパック。
【発明の詳細な説明】
【技術分野】
【０００１】
本開示内容、すなわち本発明は、ピーニングの分野に関する。より正確に言えば、本発明は、ピーニング較正ユニット（a peening calibration unit）、ピーニング較正バッテリパックおよびピーニング較正システムに関する。
【背景技術】
【０００２】
ピーニングは、金属表面の特性を向上させるプロセスである。ピーニングは、典型的には、機械的圧力（ハンマまたはショット）または光ビームのブラストを金属表面に加える冷間加工プロセスである。ピーニングプロセスにより金属表面に伝達されるエネルギーは、ピーニング強度と呼ばれる。
【０００３】
コンポーネントのピーニングの開始前に、ピーニングシステムを較正する。ダミーコンポーネントまたは代表的な取り付け部にピーニング較正ホルダを取り付ける。標準化されたピーニング較正ストリップをピーニング較正ホルダ中に挿入する。ピーニング中、ダミーコンポーネントおよび標準化ピーニング較正ストリップは、ピーニングプロセスによって生じたエネルギーを吸収する。ピーニングプロセスをダミーコンポーネントに対して実施した後、ピーニング較正ストリップを較正ホルダから取り外し、ピーニング後における標準化ピーニング較正ストリップのアークハイト（反りの高さ）を測定する。２０１３年２月１８日に改訂されたエスエーイー・インターナショナル（SAE International）からの刊行物Ｊ４４２＿２０１３（題名：Test Strip, Holder, and Gage for Shot Peening）に規定されているように、標準化ピーニング較正ストリップのアークハイトを測定するための特定の計器が必要とされる。測定したアークハイトをグラフ上にプロットし、このグラフは、アークハイト測定値とピーニング時間との関係を示す。この較正プロセスを少なくとも４回の反復のために新たな標準化ピーニング較正ストリップについて繰り返し実施する。次に、飽和曲線と呼ばれている曲線をグラフ上に収集されてプロットされた測定値により割り出す。
【０００４】
ピーニング強度は、ほとんどの場合、２０１０年６月１６日に改訂されたエスエーイー・インターナショナルからの刊行物Ｊ４４３＿２０１０（題名：Procedures for Using Standard Shot Peening Almen Strip）に規定されているようにアークハイトが時間を２倍にした間に１０％だけ増大する曲線上の第１のアークハイトとして強度を定める１０％ルールを用いて決定される。標準化ピーニング較正ストリップを用いたピーニング強度を見いだすには、相当長い時間、すなわち、ピーニング標準化ピーニング較正ストリップの少なくとも４回の反復、および手作業によるアークハイト測定、グラフの生成および結果として誤差を招く場合の多い数回の数学的計算が必要である。さらに、伝統的なピーニング較正方式は、誤解を招く場合があり、というのは、たいていの新規ユーザは、部品をピーニングする時間が標準化ピーニング較正ストリップをピーニングするのに必要な時間に関連づけられており、これに対し、上述した時間は、これとは異なり、コンポーネントに伝達された運動エネルギーの尺度を反映すると考えるからである。伝統的な方法はまた、各標準化ピーニング較正ストリップが１回しか用いられず、次に破棄されなければならないので環境に対して有害である。かくして、毎年数百万個の標準化ピーニング較正ストリップが埋め立て地に送られている。
【０００５】
長年にわたり、ピーニングを介して伝達されるエネルギーを測定する代替装置を記載した特許文献は、僅かである。米国特許第４，４７０，２９２号明細書において、デクラーク等（DeClark et al.）は、カンチレバーロッドに設けられていて重力ピーニングにより生じた重力加速度ショットの負荷の下でカンチレバーロッドの撓みを測定するためのアナログ撓み変換器を備えた広いプレートを提案した。この方法は、コンポーネントの互いに異なる箇所についての強度を直接測定するためにピーニング中のコンポーネントにこの広いプレートを取り付けることができないので実用的ではない。マツウラ等（Matsuura et al.）（米国特許第５，１１３，６８０号明細書）およびヤマモト等（Yamammoto et al.）（米国特許第６，６４０，５９６号明細書）は、ショット衝突により生じた弾性波を測定するためのシングルまたはデュアル型レベル変換器を提案した。この提案された装置は、大きすぎ、現行の標準化ピーニング較正ストリップホルダには合わず、既存のダミーコンポーネントには取り付けることができず、複雑であり、そして過酷なピーニング環境において迅速に摩耗する多くの部品、例えばワイヤを含む。
【先行技術文献】
【特許文献】
【０００６】
【特許文献１】米国特許第４，４７０，２９２号明細書
【特許文献２】米国特許第５，１１３，６８０号明細書
【特許文献３】米国特許第６，６４０，５９６号明細書
【発明の概要】
【発明が解決しようとする課題】
【０００７】
したがって、上述の問題を解決する新規なピーニング較正ユニットおよびシステムが要望されている。
【課題を解決するための手段】
【０００８】
第１の観点によれば、本発明は、ピーニング較正ユニットに関する。ピーニング較正ユニットは、ケーシングと、変換器（transducer）と、送信ユニット（transmission unit）とを有する。ケーシングは、頂部および底部を定める。変換器は、ケーシングの頂部の少なくとも一区分に沿って設けられている。変換器は、この変換器へのピーニングエネルギーの印加時に電気信号を発生させる。送信ユニットは、変換器によって生じた電気信号を受け取り、そしてこの電気信号を表わすディジタル信号をワイヤレスで送信する送信ユニットを有する。送信ユニットは、ケーシング内に配置されている。
【０００９】
第２の観点によれば、本発明は、複数のピーニング較正ユニットと、コンピュータ計算システムとを含むピーニング較正システムに関する。ピーニング較正ユニットの各々は、ケーシングと、変換器と、送信ユニットと、バッテリとを有する。各ケーシングは、頂部および底部を定める。各変換器は、ケーシングの頂部の少なくとも一区分に沿って位置決めされている。各変換器は、この変換器へのピーニングエネルギーの印加時に電気信号を発生させる。各送信ユニットは、対応の変換器によって生じた電気信号を受け取り、そしてこの電気信号を表わすディジタル信号をワイヤレスで送信する。各送信ユニットは、対応のケーシング内に配置されている。コンピュータ計算装置は、通信ユニット（communication unit）と、プロセッサとを有する。通信ユニットは、各ピーニング較正ユニットの送信ユニットと通信する。プロセッサは、複数のピーニング較正ユニットから受け取ったディジタル信号を処理する。
【００１０】
第３の観点によれば、本発明は、ピーニング較正バッテリパックに関する。ピーニング較正バッテリパックは、バッテリパックケーシングと、少なくとも１つのバッテリと、ピーニング較正ユニットホルダとを有する。バッテリパックケーシングは、頂部および底部を備え、頂部は、ピーニング較正ユニットの対応の電気コネクタとの接続のための電気コネクタを有する。少なくとも１つのバッテリは、バッテリパックケーシング内に設けられるとともにバッテリパックケーシングの頂部に設けられている電気コネクタと電気的接触状態にある。ピーニング較正ユニットホルダは、ピーニング較正ユニットを受け入れるとともにこのピーニング較正ユニットをバッテリパックケーシングの頂部上に保持する。
【００１１】
添付の図面を参照して本発明の実施形態について説明するが、これらは例示であるに過ぎない。
【図面の簡単な説明】
【００１２】
【図１】ピーニング較正バッテリパックに取り付けられた状態でピーニング較正システムにおいて使用中の１つのピーニング較正ユニットの概略断面図である。
【図２Ａ】当該技術分野において知られている標準化ピーニング較正ストリップ中に挿入されたアルメン型標準化較正ストリップの斜視図である。
【図２Ｂ】先行技術の標準化ピーニング較正ストリップホルダ中に挿入された本発明のピーニング較正ユニットの一実施例の斜視図である。
【図２Ｃ】先行技術の標準化ピーニング較正ストリップホルダ中に挿入されるべき本発明のピーニング較正ユニットの第２の実施形態の分解組立て斜視図である。
【図３】多数のピーニング較正ホルダを備えたダミーコンポーネントまたは代表的な取り付け具の斜視図である。
【図４Ａ】空気ブラストピーニング中の本発明のピーニング較正ユニットの変換器によって生じた電気信号を示すグラフ図である。
【図４Ｂ】フラッパピーニング中の本発明のピーニング較正ユニットの変換器によって生じた電気信号を示すグラフ図である。
【図４Ｃ】ニードルピーニング中の本発明のピーニング較正ユニットの変換器によって生じた電気信号を示すグラフ図である。
【発明を実施するための形態】
【００１３】
本発明は、ピーニング装置およびシステム、例えば空気ブラスト機械、ホイールズブラスト機械（wheels blast machine）、フラッパピーニング機器、ニードルピーニング機器を用いたショットピーニング、レーザピーニング、または疲労特性を向上させるため、成形するため、ひずみ取りのためあるいはブラスト清浄化のために用いられる任意他形式のピーニングの較正に関する。
【００１４】
上述の特徴および他の特徴は、添付の図面を参照して例示として与えられるに過ぎない本発明の例示の実施形態の以下の非限定的な説明を読むと、明らかになろう。同一の参照符号は、種々の図面の同一の特徴を示している。
【００１５】
本発明の種々の観点は、一般に、ピーニング較正ユニット、ピーニング較正バッテリパックおよびピーニング較正システムに関する。
【００１６】
次に図１を参照すると、ピーニング較正バッテリパック１１上に取り付けられてピーニング較正システム２０で用いられる本発明のピーニング較正ユニット１０が示されている。代表的には、ピーニング較正システム２０は、数個のピーニング較正ユニット１０を含むが、分かりやすくする目的で図１にはピーニング較正ユニット１０が１つしか示されていない。図１は、ピーニング較正バッテリパック１１に取り付けられたピーニング較正ユニット１０を示しているが、本発明のピーニング較正ユニット１０およびピーニング較正システム２０は、ピーニング較正バッテリパック１１への取り付けに限定されるものと理解されるべきではない。
【００１７】
ピーニング較正ユニット１０は、ケーシング１２を含む。ケーシング１２は、ピーニング中、ケーシング１２内に配置されるコンポーネントを保護するために頑丈な材料で作られている。ケーシング１２は、一体型コンポーネントで構成されても良くあるいはケーシング１２を形成するよう互いに組立てられる数個の部品を含んでも良い。例えば、ケーシング１２は、標準化されたピーニング較正ストリップ１００、例えば図２Ａに示されているような標準化ピーニング較正アルメン（Almen）ストリップと同じ寸法および形状のものであるのが良い。ケーシング１２は、図２Ｂに示されているように標準化ピーニング較正ストリップホルダ１１０中に直接挿入されるとともに標準化ピーニング較正ストリップホルダ１１０に設けられたねじ１２０によって定位置に保持されるのが良く、かくして、このケーシングは、当業界で現在用いられている標準化ピーニング較正ホルダと完全に適合可能である。ピーニング較正ユニット１０は、変形例として、図２Ｃに示されているように標準化ピーニング較正ストリップホルダ１１０のねじ穴中に挿入された圧力嵌めゴムダウウェルを用いて標準化ピーニング較正ストリップホルダ１１０に取り付けられても良い。変形例として、図１に示されているように、ピーニング較正ユニット１０は、ピーニング較正バッテリパック１１に取り付けられても良い。ピーニング較正ユニット１０のケーシング１２は、頂部および底部を定めまたは備えている。底部は、図１に示されているようなピーニング較正バッテリパック１１または図２Ｂに示されているような標準化ピーニング較正ストリップホルダ１１０と接触状態にある。選択された具体化例に応じて、ピーニング較正ストリップホルダ１１０の底部またはピーニング較正バッテリパック１１の底部は、ダミーコンポーネント（図３に示されている）または代表的な支持取り付け具と接触関係をなした状態でピーニング較正を実施するためにダミーコンポーネントまたは代表的な取り付け具に取り付けられている。当該技術分野において知られているダミーコンポーネントへの任意の取り付け手段または方法を用いてピーニング較正ストリップホルダ１１０またはピーニング較正バッテリパック１１をダミーコンポーネントに取り付けることができる。
【００１８】
変換器１４がケーシング１２の頂部に取り付けられている。図１には変換器１４が１つしか示されていないが、当業者であれば理解されるように、「１つの変換器」という表現は、その最も広い意味で解釈されるべきであり、かくして、数個の別個独立のまたは相互に連結された変換器または変換セルを含むことができる。変換器１４は、ケーシング１２の頂部の一区分を覆うのが良くまたは変形例としてケーシング１２の頂部全体を覆っても良い。変換器１４は、過酷な環境で用いられるべき変換器を取り付けるために当該技術分野における任意の仕方でケーシング１２の頂部に取り付けられるのが良く、例えば、ケーシング１２に接着され、ケーシング１２内に注型されまたは粉末もしくはナノ粒子の形態でケーシング１２に用いられる材料中に混ぜ込まれる。変換器１４は、ピーニング衝撃エネルギーに当てられ、この変換器は、これらのピーニングエネルギーの印加時に、電気を発生させる。具体的に説明すると、変換器１４は、物理的量、例えば圧力、ショット流量、衝突角度、ノズル距離の変化を電気信号に変換する。ショットピーニングの一例が図１に提供されているが、本発明のピーニング較正ユニット１０およびピーニング較正システム２０は、このピーニング方法には限定されない。本発明のピーニング較正ユニットおよびピーニング較正システム２０は、任意形式のピーニングに使用できる。当然のことながら、当業者であれば理解されるように、変換器１４は、較正されるべきピーニングプロセスの形式および実施されるべき較正形式に基づいて選択される。
【００１９】
次に図４Ａ、図４Ｂおよび図４Ｃを同時に参照すると、これらの図は、それぞれ、３つの互いに異なる形式のピーニング、すなわちそれぞれ、空気ブラストピーニング、フラッパピーニングおよびニードルピーニング下で変換器１４によって生じた電気信号を示している。図４Ａ、図４Ｂおよび図４Ｃを丹念に参照して理解できるように、各ピーニング時間に関して経時的に生じる電気信号の電圧は、利用されるピーニングの形式に極めて特有である。
【００２０】
変換器１４は、送信ユニット１６に電気的に接続されている。送信ユニット１６は、ケーシング１２内に配置されている。送信ユニット１６は、変換器１４によって生じた電気信号を受け取り、この電気信号を表わすディジタル信号をワイヤレス送信する。図１には詳細には示されていないが、送信ユニット１６は、変換器１４によって生じた電気信号を処理する電気回路を含むのが良い。さらに、送信ユニット１６は、電気信号をディジタル信号に変換するプロセッサ（図示せず）、ワイヤレス送信されるべきディジタル信号をバッファリングするメモリ（図示せず）、およびディジタル信号をワイヤレス送信するアンテナ（図示せず）を更に含むのが良い。プロセッサは、さらに、変換器において生じた電気信号を分析し、分析されたディジタル信号を発生させることができる。一実施例では、プロセッサは、電気信号を分析し、ピーニング強度を計算し、次にピーニング強度をディジタル信号として送信する。ディジタル信号は、任意公知の規格またはプロトコル、例えばBluetooth（登録商標）、Wi-Fi（登録商標）、または任意形式のセルラー技術を用いて送信可能である。
【００２１】
変換器１４によって生じた電気信号を表わすディジタル信号を送信することに加えて、送信ユニット１６は、更に、ピーニング較正システム２０によってピーニング較正ユニット１０を認証することができる。システムのピーニング装置を較正するために数個のピーニング較正ユニット１０が同時に用いられるので、ピーニング較正ユニット１０は、ピーニング較正システム２０によるハンドシェーク手順または認証手順を実施することができ、その後、変換器１４に電力供給して変換器１４によって生じた電気信号を表わすディジタル信号を送信することができる。
【００２２】
変換器１４および送信ユニット１６は、１つまたは数個のバッテリによって電力供給される。第１の実施例では、内部バッテリ１８がケーシング１２内に配置される。別の実施例では、ケーシング１２は、その底部のところに設けられていて変換器１４および送信ユニット１６をピーニング較正バッテリパック１１に電気的に接続するコネクタ１５を有する。さらに別の実施例では、ピーニング較正ユニット１０は、内部バッテリ１８を含むとともに更にコネクタ１５を介してピーニング較正バッテリパック１１と電気的に接続する。
【００２３】
変換器１４によって生じた電気信号を内部バッテリ１８およびピーニング較正バッテリパック１１内に別々に、順番にまたは同時に取り入れて蓄えることができる。変換器１４によって生じた電気信号のうちの何割かを取り入れることにより、内部バッテリ１８およびピーニング較正バッテリパック１１のバッテリ寿命が延びる。さらに、変換器１４によって生じた電気信号の何割かを効率的に取り入れるため、送信ユニット１６は、変換器１４によって生じた電気信号を蓄えることができる時期を判定するために制御装置として利用できる。当業者であれば理解されるように、変換器１４によって生じた電気信号を最初に送信ユニット１６によって用いるが、送信ユニット１６によって受け取った電気信号であればどれも内部バッテリ１８および／またはピーニング較正バッテリパック１１内に取り入れて蓄えることができる。
【００２４】
ピーニング較正バッテリパック１１は、頂部および底部を備えたピーニングバッテリパックケーシング１３を有する。ピーニングバッテリパックケーシング１３の頂部は、ピーニング較正ユニット１０の電気コネクタ１５との電気的接触を可能にするよう位置決めされた電気コネクタを有する。ピーニング較正バッテリパック１１は、バッテリパックケーシング１３内に配置された少なくとも１つのバッテリ１９を更に含む。好ましい具体化例に応じて、ピーニング較正バッテリパック１１は、充電式であるか非充電式であるかのいずれかの１つまたは数個のバッテリおよびピーニングバッテリパックケーシング１３内に位置した状態で少なくとも１つのバッテリ１９の充電を可能にする電気アダプタ（図示せず）を含むことができる。少なくとも１つのバッテリ１９は、ピーニング較正バッテリケーシング１３の頂部上に配置された電気コネクタと電気的接触状態にある。
【００２５】
ピーニング較正バッテリパック１１は、ピーニング較正ユニットホルダ１２０を更に有する。ピーニング較正ユニットホルダ１２０は、ピーニング較正ユニット１０を受け入れてこれをピーニング較正バッテリパック１１の頂部上に保持する。図１は、ピーニング較正ユニットホルダとして働く２本のねじ１２０を示しているが、本発明のピーニング較正バッテリパック１１およびピーニング較正ユニット１０は、かかる具体化例には限定されない。ユニットをバッテリパックの上方に保持するための当業界で知られている任意の機構を使用することができる。一実施例では、ピーニング較正バッテリパック１１は、標準化されたピーニング較正ストリップホルダ１１０として形作られるとともに寸法決めされている。
【００２６】
ピーニング較正システム２０は、少なくとも１つのピーニング較正ユニット１０を含むが、多くの具体化例に関し、ピーニング較正システム２０は、複数の較正ユニット１０を含むことになろう。ピーニング較正システム２０は、コンピュータ計算装置３０を更に含む。図１に示されているコンピュータ計算装置３０は、タブレットまたはスマートフォンであるが、本発明のピーニング較正システム２０は、かかるコンピュータ計算装置には限定されない。コンピュータ計算装置３０は、各ピーニング較正ユニット１０の送信ユニット１６とワイヤレス通信する通信ユニットを有する。コンピュータ計算装置３０は、複数のピーニング較正ユニット１０からワイヤレス受信したディジタル信号を処理するプロセッサを更に有する。コンピュータ計算装置３０のプロセッサは、各ピーニング較正ユニット１０の認証を更に行うのが良く、その後においてそのピーニング較正ユニット１０からのディジタル信号の受信を行うのが良い。コンピュータ計算装置３０のプロセッサはまた、ピーニング較正ユニット１０から受信したディジタル信号を分析してピーニング強度を計算することができる。コンピュータ計算装置３０は、ディジタル保存されるべきカスタムフォーマットで提供されまたはプリンタによって印刷されるピーニング強度を含む専用の報告をもたらすことができる。コンピュータ計算装置３０は、受信したディジタル信号を対応のピーニング較正ユニット１０の識別情報および受信したディジタル信号に関連づけられた以下の一時的情報、すなわち時刻表示または時間間隔のうちの少なくとも一方を記憶するメモリを更に有する。コンピュータ計算装置３０は、ディスプレイ３２を更に有する。ディスプレイ３２は、以下のもの、すなわち、ダミーコンポーネントの画像またはピーニング較正ユニット１０のそれ自体の上における位置を含む代表的な支持取り付け具、識別情報を含む較正ユニット１０のリスト、各較正ユニット１０について計算されたピーニング強度、各ピーニング較正ユニット１０に関する許容可能な強度範囲、各較正ユニット１０に関する過去のピーニング手順のログ記録データ、認証済みのピーニング較正ユニット１０からのディジタル信号の受信を確認するアイコン、ならびに各ピーニング較正ユニット１０およびピーニング較正システム２０内のピーニング較正バッテリパック１１の電力レベルのうちの１つまたは幾つかを表示することができる。
【００２７】
本発明をその非限定的な例示の実施形態により上述したが、これら実施形態は、本発明の精神および性質から逸脱することなく、特許請求の範囲に記載された本発明の範囲内で任意に改造できる。
【符号の説明】
【００２８】
１０  ピーニング較正ユニット
１１  バッテリパック
１２  ケーシング
１４  変換器
１５  コネクタ
１６  送信ユニット
１８  内部バッテリ
２０  ピーニング較正システム
３０  コンピュータ計算システム
３２  ディスプレイ
１００  標準化ピーニング較正ストリップ
１１０  標準化ピーニング較正ストリップホルダ
１２０  ねじ
【図１】
2018099771.tif 000003
【図２Ａ】
2018099771.tif 000004
【図２Ｂ】
2018099771.tif 000005
【図２Ｃ】
2018099771.tif 000006
【図３】
2018099771.tif 000007
【図４Ａ】
2018099771.tif 000008
【図４Ｂ】
2018099771.tif 000009
【図４Ｃ】
2018099771.tif 000010
【手続補正書】
【提出日】平成29年12月21日(2017.12.21)
【手続補正１】
【補正対象書類名】特許請求の範囲
【補正対象項目名】全文
【補正方法】変更
【補正の内容】
【特許請求の範囲】
【請求項１】
ピーニング較正システムであって、
複数のピーニング較正ユニットを含み、各ピーニング較正ユニットは、
頂部および底部を定めるケーシングを有し、
前記ケーシングの前記頂部の少なくとも一区分に沿って設けられた変換器を有し、前記変換器は、該変換器へのピーニングエネルギーの印加時に電気信号を発生させ、
前記変換器によって生じた前記電気信号を受け取り、そして該電気信号を表わすディジタル信号をワイヤレスで送信する送信ユニットを有し、前記送信ユニットは、前記ケーシング内に配置され、
バッテリを有し、前記バッテリは、前記変換器および前記送信ユニットに電力供給し、
コンピュータ計算装置を更に含み、前記コンピュータ計算装置は、
各ピーニング較正ユニットの前記送信ユニット二よって送信された前記電気信号を表す前記ディジタル信号を受信する通信ユニットと、
前記複数のピーニング較正ユニットから受け取った前記ディジタル信号を処理するプロセッサと、
前記受け取ったディジタル信号を前記ディジタル信号が受け取られた前記ピーニング較正ユニットの識別情報および次のもの、すなわち時刻表示または時間間隔のうちの少なくとも一方と一緒に記憶するメモリとを有する、ピーニング較正システム。
【請求項２】
前記プロセッサは、前記ピーニング較正ユニットの各々を認証し、その後前記ディジタル信号を前記ピーニング較正ユニットから受け取る、請求項１記載のピーニング較正システム。
【請求項３】
前記プロセッサは、前記複数のピーニング較正ユニットから受け取った前記ディジタル信号を更に分析し、そしてピーニング強度を計算する、請求項１記載のピーニング較正システム。
【請求項４】
前記コンピュータ計算ユニットは、ディスプレイを更に有する、請求項３記載のピーニング較正システム。
【請求項５】
各ピーニング較正ユニットは、ピーニング較正ストリップとして形作られるとともに寸法決めされている、請求項１記載のピーニング較正システム。
【手続補正書】
【提出日】平成30年4月12日(2018.4.12)
【手続補正１】
【補正対象書類名】特許請求の範囲
【補正対象項目名】全文
【補正方法】変更
【補正の内容】
【特許請求の範囲】
【請求項１】
ピーニング較正システムであって、
複数のピーニング較正ユニットを含み、各ピーニング較正ユニットは、
頂部および底部を定めるケーシングを有し、
前記ケーシングの前記頂部の少なくとも一区分に沿って設けられた変換器を有し、前記変換器は、該変換器へのピーニングエネルギーの印加時に電気信号を発生させ、
前記変換器によって生じた前記電気信号を受け取り、そして該電気信号を表わすディジタル信号をワイヤレスで送信する送信ユニットを有し、前記送信ユニットは、前記ケーシング内に配置され、
バッテリを有し、前記バッテリは、前記変換器および前記送信ユニットに電力供給し、
コンピュータ計算装置を更に含み、前記コンピュータ計算装置は、
各ピーニング較正ユニットの前記送信ユニットによって送信された前記電気信号を表す前記ディジタル信号を受信する通信ユニットと、
前記複数のピーニング較正ユニットから受け取った前記ディジタル信号を処理するプロセッサと、
前記受け取ったディジタル信号を前記ディジタル信号が受け取られた前記ピーニング較正ユニットの識別情報および次のもの、すなわち時刻表示または時間間隔のうちの少なくとも一方と一緒に記憶するメモリとを有する、ピーニング較正システム。
【請求項２】
前記プロセッサは、前記ピーニング較正ユニットの各々を認証し、その後前記ディジタル信号を前記ピーニング較正ユニットから受け取る、請求項１記載のピーニング較正システム。
【請求項３】
前記プロセッサは、前記複数のピーニング較正ユニットから受け取った前記ディジタル信号を更に分析し、そしてピーニング強度を計算する、請求項１記載のピーニング較正システム。
【請求項４】
前記コンピュータ計算ユニットは、ディスプレイを更に有する、請求項３記載のピーニング較正システム。
【請求項５】
各ピーニング較正ユニットは、ピーニング較正ストリップとして形作られるとともに寸法決めされている、請求項１記載のピーニング較正システム。